(57)【要約】      （修正有）【課題】自動発電が可能で、発光することで使用上の利便性が高くなる自発光型歯科用ハンドピースを提供する。【解決手段】殻体１を含み、その内部に収容室１１が形成され、一端に作動室１２が設けられ、収容室に発電装置３が設けられ、第１ケース３１及び第２ケース３２を有し、両方の間に隙間があり、且つ第２ケースに貫通孔が設けられ、第２ケースに回転可能なファンが設けられ、該ファンに棒磁石が同軸に接続され、且つ該棒磁石の外周にコイルが巻き取られ、コイルが第１導電端子に電気的に接続され、且つ第２導電端子と嵌合接続され、さらに電線によって発光装置４に接続され、収容室１１に吸気管２１、還流管２２、冷却水管２３及び冷却ガス管２４が設けられ、且つ位置決めベース２５により各管が固定され、吸気管２１が外部のガス供給源と作動室１２とを接続し、還流管２２が作動室１２と発電装置３とを接続する。【選択図】図１
0003207427.tif 000002
【実用新案登録請求の範囲】
【請求項１】
殻体であって、該殻体の内部に収容室が形成され、一端に作動室が設けられ、該作動室内に作動具が設けられる殻体と、
発電装置であって、前記収容室の中に設けられ、第１ケース及び第２ケースが設けられ、該第１ケースが第１内室を取り囲み、該第２ケースが該第１内室の中に設けられ、且つ該第１ケースとの間に隙間があり、該第２ケースが第２内室を取り囲み、該第２ケースに少なくとも一つの、該第１内室と該第２内室とを連通する貫通孔が設けられ、該第２内室の中に回転可能なファンが設けられ、該ファンに棒磁石が同軸に接続され、且つ該棒磁石の外側にコイルが巻き取り、該コイルが第１導電端子に電気的に接続され、該発電装置に電源ベースが設けられ、該電源ベースに第２導電端子が設けられ、該第２導電端子と該第１導電端子とが嵌合接続され、且つ電線により発光装置に接続される発電装置と、
吸気管であって、前記収容室に設けられ、一端が外部のガス供給源、他端が前記作動室に接続される吸気管と、
還流管であって、前記収容室に設けられ、一端が前記作動室、他端が前記発電装置に接続される還流管と、
冷却水管及び冷却ガス管であって、前記収容室に設けられ、前記冷却水管及び冷却ガス管は、それぞれ一端が外部の水源及びガス供給源に対応して接続され、他端が前記作動室に接続される冷却水管及び冷却ガス管と、
位置決めベースであって、前記収容室に固定設置され、複数の穿孔が貫設され、前記吸気管、還流管、冷却水管及び冷却ガス管がそれぞれ前記複数の穿孔の１つを通過して位置決めされる位置決めベースと、
を含む自発光型歯科用ハンドピース。
【請求項２】
前記殻体に開口が設けられ、前記発光装置が前記収容室の中から該開口を通過して前記殻体から突出する請求項１に記載の自発光型歯科用ハンドピース。
【請求項３】
前記コイルのターン数は20〜80である請求項１に記載の自発光型歯科用ハンドピース。
【請求項４】
前記コイルのターン数は35〜45である請求項３に記載の自発光型歯科用ハンドピース。
【請求項５】
前記棒磁石と前記コイルとの距離は0.5〜2ミリメートルである請求項１に記載の自発光型歯科用ハンドピース。
【請求項６】
前記棒磁石と前期コイルとの距離は0.8〜1.7ミリメートルである請求項５に記載の自発光型歯科用ハンドピース。
【請求項７】
前記還流管はホースである請求項１に記載の自発光型歯科用ハンドピース。
【考案の詳細な説明】
【技術分野】
【０００１】
本考案は歯科用ハンドピース、特に発電装置が設けられたことで発光するように自動発電可能な歯科用ハンドピースに関する。
【背景技術】
【０００２】
歯医者は診療する時に灯光による照明が必要であり、灯光は診療台上の大灯及びハンドピース上の小灯からのものである。旧型の診療台にはハンドピースの小灯に電気を供給する電源が設けられていない場合があるため、別途電線により電源に接続することが必須となり、配線が複雑で診療を妨害する欠点がある。該欠点を克服するために電気供給可能な新型診療台を購入すると、非常に高い費用が発生する。
【０００３】
前記問題に対して、ハンドピース内に発電装置が設けられ、ハンドピースを駆動する固有の気流により発電装置を作動させて自己発電するハンドピースが開発され、電気の取得のために別途に電線を接続する必要がない。しかし、従来の発電自己発電ハンドピースには、以下の欠点が存在している。駆動気流が先に発電装置を通過して発電させ、さらにハンドピースの作動部位に到着して歯科ツールを作動させることで、気流の圧力が消耗され、後ろにある歯科ツールに対する駆動が不安定になり、又は駆動力がなくなる場合がある。各管路がハンドピース内に設けられ、且つ固定機構が足りなく、空間が狭く、ハンドピースの使用に当たって振動が生じるため、各管路の押し合いにより発電装置の電線の割れによる断電が発生することがある。発電装置では、棒磁石がファンによりコイルで回転して電気を生成するが、ファンと棒磁石とが別れて互いにオフセットすることで、コイルに安定する磁束変化を形成できず、発電効率が良くない場合がある。
【考案の概要】
【０００４】
本考案は自発光型歯科用ハンドピースを提供することを主目的とする。該自発光型歯科用ハンドピースは、内部に発電装置が設けられ、ハンドピースを駆動した後の還流ガスを利用して発電させることにより、ハンドピースのLEDに電気を供給し、使用上の利便性が高くなる。
【図面の簡単な説明】
【０００５】
【図１】図１は本考案の模式的分解斜視図である。
【図２】図２は本考案の発電装置の模式的分解斜視図である。
【図３】図３は本考案の発電装置の模式的断面図である。
【図４】図４は本考案の部分の模式的斜視図である。
【考案を実施するための形態】
【０００６】
図１には、内部に収容室１１が形成され、一端が作動室１２に接続され、且つ該作動室１２内に作動具１３が設けられる殻体１を含み、該作動具１３は、気流により様々な歯科ツールを駆動することができ、且つ必要に応じて交換され該作動室１２に組み立てることができる本考案に係る自発光型歯科用ハンドピースを示す。
【０００７】
さらに、該収容室１１には吸気管２１、還流管２２、冷却水管２３及び冷却ガス管２４が設けられる。なお、本実施例において、該還流管２２はホースである。該吸気管２１は一端が外部のガス供給源（圖中未示）に接続され、他端が該作動室１２に接続され、高圧ガスを該作動室１２内に導入して該作動具１３を駆動するために使用され、該還流管２２は一端が該作動室１２に接続され、該作動具１３を駆動した後の気流を導出するために使用され、該冷却水管２３及び冷却ガス管２４はそれぞれ一端が外部の水源及びガス供給源に対応して接続され、他端が該作動室１２に接続され、該作動具１３を冷却するために使用される。該収容室１１には位置決めベース２５が設けられ、該位置決めベース２５は、該殻体１の位置が変動しないようにそれに固定され、且つ該位置決めベース２５に複数の穿孔２５１が貫設され、該吸気管２１、該還流管２２、該冷却水管２３及び該冷却ガス管２４がそれぞれ該複数の穿孔２５１を通過して、各穿孔２５１により位置決めされることにより、各管路を固定する目的を実現する。
【０００８】
発電装置３は該収容室１１に設けられ、図２、３に示すように、第１内室３１１を取り囲む第１ケース３１を有し、該第１ケース３１が該還流管２２に接続され、該作動室から還流する気流Ｆが該還流管２２により該第１内室３１１に注入される。該第１内室３１１に第２ケース３２が設けられ、該第１ケース３１と該第２ケース３２との間に隙間３３がある。該第２ケース３２が第２内室３２１取り囲み、且つ少なくとも１つの貫通孔３４が設けられ、該貫通孔３４により該第１内室３１１と該第２内室３２１とが連通される。
【０００９】
該第２内室３２１に回転可能なファン３５が設けられる。本実施例において、該ファン３５の位置は該貫通孔３４に対応する。該ファン３５に棒磁石３６が接続され、該棒磁石３６と該ファン３５の軸心とが同一の軸線に位置する。該棒磁石３６の外周にコイル３７が巻き取られ、本実施例において、該コイル３７のターン数は20〜80で、好ましくは35〜45であり、該コイル３７と該棒磁石３６との距離は0.5〜2ミリメートルで、好ましくは0.8〜1.7ミリメートルである。該コイル３７が第１導電端子３７１に電気的に接続される。該発電装置３に電源ベース３８が設けられ、該電源ベース３８に第２導電端子３８１が設けられ、該第２導電端子３８１と該第１導電端子３７１とは互いに雄と雌の形態で嵌合接続され、該第２導電端子３８１が電線３８２により発光装置に接続される。なお、本実施例において、該発光装置はLED灯群である。
【００１０】
上記の構造により、ハンドピースの外部から導入された駆動気流が該吸気管を通過して該作動室に入って該作動具を駆動した後、図３に示すように該還流管２２を通過して該発電装置３に注入される。該気流Ｆは該第１ケース３１と該第２ケース３２との間の隙間３３を通過し、該貫通孔３４を介して該第２内室３２１に注入され、そして、該ファン３５を回転させる。該棒磁石３６が該ファン３５と同期に駆動され、該コイル３７とが電磁作用を形成することにより、電気が生成され、さらに該第１導電端子３７１、該第２導電端子３８１及び電線により該発光装置に伝送され使用に供される。
【００１１】
本実施例において、前記発光装置４は、図４に示すように、該収容室における該作動室１２に近い一端に設けられ、且つ表面が四角状に形成される。該殻体１に四角状の開口１４が設けられ、該発光装置４が該収容室の中から該開口１４を通過して該殻体１から突出する。このように、該殻体１は該発光装置４に阻止されて該作動室１２に対して回転できず、ハンドピースを使用する時の安定性が高くなる。
【００１２】
以上より、本考案の利点は以下の通りである。
１、該発電装置３を駆動する気流は該作動具１３を駆動した後還流する気流Ｆであるため、該作動具１３の駆動効率及び出力電力に影響を与えることがない。
２、各管路は、該位置決めベース２５により固定されることにより、ハンドピースを使用する過程で押し合わず、問題が生じない。一方、該発電装置３は２つの嵌合接続された導電端子３７１、３８１により、生成した電気を出力することで、振動を対向する高い耐性を有し、振動による断電を避けることができる。
３、該発電装置３において、該棒磁石３６と該ファン３５とが同軸に接続されることにより、該棒磁石３６がコイル３７内に回転する時に安定の磁束変化を形成することができ、電気を安定に生成して該発光装置４の使用に提供する。
【符号の説明】
【００１３】
殻体１          収容室１１
作動室１２      作動具１３
開口１４        吸気管２１
還流管２２      冷却水管２３
冷却ガス管２４  位置決めベース２５
穿孔２５１      発電装置３
第１ケース３１  第１内室３１１
第２ケース３２  第２内室３２１
隙間３３        貫通孔３４
ファン３５      棒磁石３６
コイル３７      第１導電端子３７１
電源ベース３８  第２導電端子３８１
発光装置４      気流Ｆ
【図１】
0003207427.tif 000003
【図２】
0003207427.tif 000004
【図３】
0003207427.tif 000005
【図４】
0003207427.tif 000006